(57)【要約】      （修正有）【課題】着崩れなく簡単、綺麗に着用することができるゆかたを提供する。【解決手段】着用した時の右側の下前身頃１と下前衽２の上に左側の上前身頃３と上前衽４を重ねた打合せ状態を保持できるように、右衿先１３の表面にボタン１４を取付けると共にこのボタン１４を係止できる係止具１６を左後見頃５と上前身頃３の内面の境界部の近傍１５に設ける。そして、左衿先１７にはボタン孔１８を設けると共に右後身頃と下前身頃１の境界部の近傍の外面９には、ボタン孔１８に係合し帯を締めたときにも隠されないような装飾ボタン１９を取付けてゆかたとする。このきものを肩に羽織り、上記ボタン類を嵌め合せるだけで着崩れしない着用状態となる。【選択図】図２
0003212514.tif 000002
【実用新案登録請求の範囲】
【請求項１】
着用時の右側の下前身頃と下前衽の上に左側の上前身頃と上前衽を重ねた打合せ状態を保持できるように、右衿先の表面にボタンを取付けると共にこのボタンを係止できる係止具を左後見頃と上前身頃の内面の境界部近傍に設け、左衿先にはボタン孔を設けると共に右後身頃と下前身頃の境界部近傍の外面に上記ボタン孔に係合し、帯を締めたときにも隠されないような装飾ボタンを取付けたゆかた。
【請求項２】
上記内面の左後見頃と上前身頃の境界部近傍に設けた係止具が、伸縮性の環状体に形成されている請求項１に記載のゆかた。
【請求項３】
上記右後身頃と下前身頃の境界部近傍の外面には、腰回り方向に複数の装飾ボタンが取付けられている請求項１又は２に記載のゆかた。
【考案の詳細な説明】
【技術分野】
【０００１】
本考案は、誰でもが簡単に着付けができる新感覚のゆかた関するものである。
【背景技術】
【０００２】
近年、和服離れしていた若い女性が、ゆかたを着るようになってきており、夏場における一つのブームとも言える状態になっているが、こうしたゆかたに馴染んだ女性が、更に日常着としての和服を着て街歩きを楽しもうとする傾向がでている。
こうした女性と同様に、男性もゆかたを着用して楽しもうとする傾向にあるが、男性用ゆかたと言うと、どうしても温泉旅館の浴衣のイメージが強い傾向が拭えない。
【０００３】
ゆかたは着物ほど着用が面倒なものではないけれども、洋服には見られない着崩れという問題もある。
こうした、着用を容易にしたり、着崩れを防ぐ為にウエスト部分の襟に面ファスナーを取付けて、これによって着用状態を保持しようとするものが知られている。（特許文献１）
【０００４】
しかしながら、こうした面ファスナーは上記した着付け状態を保持するためだけのもので、ゆかたを着用したときに裏面側に隠されて、表からは見えないようにされているものである。
【先行技術文献】
【特許文献】
【０００５】
特許文献１：特開平６−５１２１３号公報
【考案の概要】
【考案が解決しようとする課題】
【０００６】
本考案は、ゆかたを余り着慣れない人から、初めてゆかたを着る人まで、すっきりとした衿元となるように簡単に着用することができ、また、従来のゆかたには見られない斬新なスタイルによって様々な着用方法もできるようにしようとするものである。
【課題を解決するための手段】
【０００７】
本考案においては、着用した時の右側の下前身頃と下前衽の上に左側の上前身頃と上前衽を重ねた打合せ状態を保持できるように、右衿先の表面にボタンを取付けると共にこのボタンを係止できる係止具を左後見頃と上前身頃の内面の境界部の近傍に設ける。そして、左衿先にはボタン孔を設けると共に右後身頃と下前身頃の境界部の外面には、上記ボタン孔に係合し帯を締めたときにも隠されないような装飾ボタンを取付けてゆかたとしたものである。
【０００８】
そして、上記左後見頃と上前身頃の内面の境界部近傍に設けた係止具は、伸縮性の環状体に形成するとよい。
また、上記右後身頃と下前身頃の境界部の近傍の外面に取付けられた装飾ボタンは、腰回り方向に複数個設けることができる。
【考案の効果】
【０００９】
本考案によれば、このゆかたを羽織って袖に腕を通し、袖口を持って左右に引張ってから中心合せを行い、更に左右の衿をもって衿足を整え、右側の下前身頃と下前衽を体の前面に沿わせ、右衿先の表面に設けたボタンを左後見頃と上前身頃の内面の境界部の近傍に設けた係止具に係止する。次いで、その上に左側の上前身頃と上前衽を打合せ状態に重ねて、左衿先のボタン孔を右後身頃と下前身頃の境界部の近傍の外面に設けたボタンに係合させることによって、自然とキチンとした着用状態を形成することができる。
こうして着用した状態において、男性の場合には兵児帯や、角帯、共生地で作った兵児帯などを、女性の場合には帯を締めると着用状態を一層確実に固定することができ、左衿先のボタン孔に係合している装飾ボタンは帯によって隠されることがないので、これが従来に無い飾りとなって、新たな美観を感じさせるものとなる。
【図面の簡単な説明】
【００１０】
【図１】本考案の実施例を示すゆかたの正面図である。
【図２】図１に示すものの上前身頃を開いた状態の正面図である。
【図３】図２に示すものの一部を拡大して示す正面図である。
【図４】図１に示すものを男性が着用した状態を示す説明図である。
【図５】図４に示すものの一部を拡大して示す説明図である。
【考案を実施するための形態】
【００１１】
右側の下前身頃（１）、下前衽（２）、左側の上前身頃（３）、上前衽（４）、左後身頃（５）、右後身頃（６）、衿（７）、右袖（１０）、左袖（１１）等を備えるゆかた（１２）は、合成繊維、木綿、麻、これらの混紡、交織などの適宜の生地を使用して、身頃丈、裄丈を着用者の身体に合せて仕立てている。
【００１２】
図示するゆかたでは、従来から汎用されている木綿生地にとらわれることなく、着物用として使用されているようなポリエステルの織生地を使用して単衣の本仕立てとしている。こうしたゆかたの背裏や、その他の一部分や、裏全体をメッシュ生地などによって袷状態などに仕立てることもできる。
【００１３】
上記ゆかた（１２）の右衿先（１３）の表面にはボタン（１４）が縫付けられており、左後見頃（５）と上前身頃（３）の内面側の境界部近傍（１５）には係止具（１６）を設けている。
上記ボタン（１４）を係止具（１６）に係止すると、ゆかたの下前が身体の表面を覆い、下前衽（２）の下端部分がやや上に持上がった状態に固定される。
図示する係止具（１６）は、伸縮性の環状体に形成されていて嵌め易くて邪魔にならないが、共布等にボタン孔を作ったものを縫付けるようにすることもできる。
【００１４】
上記ゆかた（１２）の左衿先（１７）にはボタン孔（１８）が形成されており、右後身頃（６）と下前身頃（１）の境界部の近傍で、腰部のやや下方の外面（９）に装飾ボタン（１９）を設けている。
上記左衿先（１７）のボタン孔（１８）を、上記装飾ボタン（１９）に係合させると上前が下前の上に重なり、上前衽（４）の下端部分がやや上に持上がった状態になって、下前身頃及び下前衽と上前身頃及び上前衽の打合せ状態が完成し、これによって衿元も整い、きれいな着用状態を保持することができる。
【００１５】
上記の如くして着用したゆかた（１２）の上から腰部に帯（２０）を巻いて結ぶと、ゆかた（１２）は更にきっちりと固定されるようになる。このとき上記左衿先（１７）に設けたボタン孔（１８）に係合されている装飾ボタン（１９）は、右腰下にあって上記帯（２０）によって隠されることがないので、これまでにない斬新なデザインとして表われ、新しい美的なポイントとなる。
図示のものでは水牛製の丸ボタンを使用しているが、漆器製や、陶器製、ガラス製、石製その他のボタン、包みボタンなどの装飾となるような各種のボタンを使用することができる。また、ダッフルコートに使用されるトグルボタンのような変形形状のものでもよい。
【００１６】
上記装飾ボタンは腰回り方向に複数個設けることができる。図示のものでは、上記装飾ボタン（１９）の後側にもう一つ装飾ボタン（２１）を設けており、装飾性が増している。また、空腹状態などで腹回りが小さくなった場合には、ボタン孔（１８）をもう一つの装飾ボタン（２１）に嵌め替るようにすることもできる。
【００１７】
図４、５に示すのものでは、このゆかたを男性が着用した状態を示しており、上記帯（２０）が上記したゆかた地と共布で兵児帯風に作られているものを示しているが、帯としては従来から汎用されている各種の合成繊維製、絹製などの兵児帯や、角帯などを自由に使用することができる。
また、女性の場合にも、身丈と着丈が合っているのでおはしょりを作ることなく、上記したゆかた地と共布で兵児帯風に作られている帯を締めたり、幅の狭い男性用の角帯を変わり結びに結び目を変えて締めることによって新感覚のファッションとなるし、また、女性用の広幅の帯を帯締めによって締めるようにすることもできる。
【００１８】
こうしたゆかたは、街着としておしゃれに着用することができるし、海水浴場の砂浜の上で体に羽織って日除け衣として用いることもできる。
また、戸外に限らず部屋着としても用いることができ、そうした場合には帯を締めることなく着用することもでき、着崩れすることがないので、窮屈でなく、リラックスして着用することができる。
【符号の説明】
【００１９】
１    下前身頃
２    下前衽
３    上前身頃
４    上前衽
５、６  後見頃
７    衿
１０、１１  袖
１４  右衿先のボタン
１６  右衿先のボタンの係止具
１８  左衿先のボタン孔
１９  左衿先のボタン孔に係合する装飾ボタン
２０  帯
【図１】
0003212514.tif 000003
【図２】
0003212514.tif 000004
【図３】
0003212514.tif 000005
【図４】
0003212514.tif 000006
【図５】
0003212514.tif 000007